(57)【要約】【課題】回転清掃体の組み付け性を確保し且つ回転清掃体の軸受部への糸クズの入り込みを防止することができる吸込口体と電気掃除機を提供する。【解決手段】底面に吸込開口２１が形成された吸込室２２を有する吸込口本体２３と、吸込室２２に回転可能に配置された回転清掃体６０と、吸込室２２の両側に設けられた軸受室３０とを備え、吸込室２２の一方の区画壁４０に挿入開口４１が形成され、この挿入開口４１から一方の軸受室３０内へ回転清掃体６０の軸部６１の一端部を挿入して回転自在に支持させ、軸部６１の他端部を他方の軸受室の上壁部と底壁部とによって回転自在に挟み込んで回転清掃体６０を組み付ける吸込口体であって、軸部６１の一端部に複数のフランジＦ３,Ｆ４を形成し、これらフランジＦ３,Ｆ４の周端面にそれぞれ対向し且つその周端面との間に所定の間隙を形成する複数の環状リブＲ１,Ｒ２を一方の軸受室３０に設け、複数のフランジＦ３,Ｆ４のうち、フランジＦ３よりもフランジＦ４の径を小さくした。【選択図】図７
2008200308.tif 000002
【特許請求の範囲】
【請求項１】
底面に吸込開口が形成された吸込室を有する吸込口本体と、前記吸込室に回転可能に配置された回転清掃体と、前記吸込室の両側に設けられた軸受室とを備え、前記吸込室の一方の側壁に挿入開口が形成され、この挿入開口から一方の軸受室内へ前記回転清掃体の軸部の一端部を挿入して回転自在に支持させ、前記軸部の他端部を他方の軸受室の上壁部と底壁部とによって回転自在に挟み込んで前記回転清掃体を組み付ける吸込口体であって、
前記軸部の一端部に複数のフランジを形成し、
この複数のフランジのうち、端部側にあるフランジの径をこのフランジよりも内側にあるフランジの径より小さくし、
これらフランジの周端面にそれぞれ対向し且つその周端面との間に所定の間隙を形成する複数の環状リブを前記一方の軸受室に設けたことを特徴とする吸込口体。
【請求項２】
請求項１に記載の吸込口体を備えたことを特徴とする電気掃除機。
【発明の詳細な説明】
【技術分野】
【０００１】
この発明は、吸込室に回転可能に配置された回転清掃体を備えた吸込口体に関する。
【背景技術】
【０００２】
従来から、底面吸込開口が形成された吸込室を有する吸込口本体と、吸込室に回転可能に配置された回転清掃体とを備えた吸込口体が知られている（特許文献１参照）。
【０００３】
かかる吸込口体は、吸込室の両側に設けた軸受室を有しており、回転清掃体の軸部の両端部にはその軸部を回転自在に保持する保持部材が装着されている。この軸受部は軸受室に支持され、これにより回転清掃体が吸込室内で回転自在となっている。軸受室は仕切壁によって吸込室と区画されている。
【特許文献１】特開平１０−１７９４７４号
【発明の開示】
【発明が解決しようとする課題】
【０００４】
ところで、このような吸込口体にあっては、仕切壁に回転清掃体の軸部を通す孔が形成されているので、この孔から糸クズなどが入り込み、この糸クズなどが保持部材内に入って回転清掃体をロックしてしまう虞があった。
【０００５】
そこで、回転清掃体の軸部の両端部にフランジを形成し、このフランジによって糸クズなどが保持部材内に入り込まないようにしたものがある。
【０００６】
しかしながら、回転清掃体の軸部の両端部にフランジを設けていることにより、その両端部を仕切壁の孔に通すことができず、このため、その両端部を吸込口本体の上ケースと底部板とで挟み込んで固定しなければならない。
【０００７】
このため、回転清掃体の組み付けが面倒であるという問題があった。
【０００８】
そこで、吸込室と一方の軸受室との間の側壁に孔を設け、回転清掃体の軸部の一端部の軸受部をその孔から軸受室へ挿入して取り付け、軸部の他端部の軸受部を挟み込んで組み付けるようにしたものが考えられている。
【０００９】
しかし、その側壁の孔を介して回転清掃体の軸受部へ糸クズなどが入り込み易くなってしまうという問題が発生する。
【００１０】
この発明の目的は、回転清掃体の組み付け性を確保することができるとともに、回転清掃体の軸受部への糸クズの入り込みを防止することができる吸込口体と、この吸込口体を備えた電気掃除機を提供することにある。
【課題を解決するための手段】
【００１１】
請求項１の発明は、底面に吸込開口が形成された吸込室を有する吸込口本体と、前記吸込室に回転可能に配置された回転清掃体と、前記吸込室の両側に設けられた軸受室とを備え、前記吸込室の一方の側壁に挿入開口が形成され、この挿入開口から一方の軸受室内へ前記回転清掃体の軸部の一端部を挿入して回転自在に支持させ、前記軸部の他端部を他方の軸受室の上壁部と底壁部とによって回転自在に挟み込んで前記回転清掃体を組み付ける吸込口体であって、
前記軸部の一端部に複数のフランジを形成し、
この複数のフランジのうち、端部側にあるフランジの径をこのフランジよりも内側にあるフランジの径より小さくし、
これらフランジの周端面にそれぞれ対向し且つその周端面との間に所定の間隙を形成する複数の環状リブを前記一方の軸受室に設けたことを特徴とする。
【発明の効果】
【００１２】
この発明によれば、回転清掃体の組み付け性を確保することができるとともに、回転清掃体の軸受部への糸クズの入り込みを防止することができる。
【発明を実施するための最良の形態】
【００１３】
以下、この発明に係る吸込口体とこの吸込口体を備えた電気掃除機の実施の形態である実施例を図面に基づいて説明する。
【実施例】
【００１４】
図１に示す電気掃除機１０は、掃除機本体１１と、この掃除機本体１１に着脱自在に接続されたホース１２と、このホース１２の他端の手元操作管１３に着脱自在に接続された延長管１４と、この延長管１４の先端部に着脱自在に接続された吸込口体２０等とを備えている。掃除機本体１１内には図示しない電動送風機が設けられており、この電動送風機により吸込口体２０から塵埃を吸引するようになっている。
【００１５】
吸込口体２０は、図２および図３に示すように、底面に吸込開口２１を形成した吸込室２２を有する吸込口本体２３と、吸込室２２内に回転自在に配置された回転清掃体６０と、吸込口本体２３の後部に矢印Ｐ１（上下）方向に回動可能に設けた連結管２４等とを備えている。連結管２４には、延長管１４の先端部が着脱自在に接続される。また、連結管２４は、回転管２５を介して軸線Ｊ回りに回動可能となっている。
【００１６】
回転清掃体６０は、図４に示すように軸部６１と、この軸部６１に取り付けられるとともに螺旋状に形成された複数のブレード６２とを有している。
【００１７】
軸部６１の一端部（図４において左端部）には、キャップ６３と軸受部６４とが一体的に装着されており、軸受部６４は軸部６１の一端を回転自在に保持するものである。
【００１８】
キャップ６３は、径の大きさの異なる複数の筒部と、この筒部に一体形成された４つのフランジＦ１〜Ｆ４と有しており、軸部６１の端部側となる最外側にあるフランジＦ４の径が最小となっており、最内側にあるフランジＦ１の径が最大となっている。すなわち、フランジＦ１〜Ｆ４の径の大小関係は、Ｆ１＞Ｆ２＝Ｆ３＞Ｆ４となっている。また、フランジＦ１はブレード６２の端部に当接している。
【００１９】
軸部６１の他端部（図４において右端部）には、キャップ６５と軸受部６６とが一体的に装着されており、軸受部６６は軸部６１の他端を回転自在に保持するものである。
【００２０】
キャップ６５は、径の大きさの異なる複数の筒部と、この筒部に一体形成された３つのフランジＦ５〜Ｆ７および従動プーリ６５Ａとを有している。
【００２１】
吸込口本体２３は、図３に示すように、吸込室２２の両側に形成した軸受室３０,３１と、吸込室２２の前面に設けた前カバー３２とを有している。吸込口本体２３内には図示しないモータが内蔵されており、このモータの駆動軸に設けた駆動プーリ（図示せず）と回転清掃体６０の従動プーリ６５Ａとの間にタイミングベルトＢが巻回され、モータによって回転清掃体６０が回転するようになっている。
【００２２】
また、図３において、２６は被清掃面を検知する検知ローラ、２７はローラである。
【００２３】
軸受室３０と吸込室２２とは、図５および図６に示すように区画壁（側壁）４０によって区画されており、区画壁４０には挿入開口４１が形成されている。挿入開口４１の下部は開放されている。
【００２４】
軸受室３０には、図５に示すように、３つの円弧状のリブ（半環状リブ）Ｒ１ａ〜Ｒ３ａと、回転清掃体６０の軸受部６４（図４参照）を支持する支持部４２が形成されている。リブＲ１ａ〜Ｒ３ａの高さはＲ１ａ＜Ｒ２ａ＜Ｒ３ａに設定されている。
【００２５】
リブＲ３ａおよび支持部４２は、吸込口本体２３を構成する下ケース２３Ａに一体形成された底壁部４３（図６参照）の内側に一体に形成されている。
【００２６】
支持部４２は、相対向した一対の挟持壁部４２Ａと、一対の挟持壁部４２Ａ間に形成された下当接部４２Ｂとから構成されている。
【００２７】
そして、リブＲ１ａとリブＲ２ａとの間が凹部Ｈ１ａとなっており、リブＲ２ａとリブＲ３ａとの間が凹部Ｈ２ａとなっており、リブＲ３ａと下当接部４２Ｂとの間が凹部Ｈ３ａとなっている。
【００２８】
同様に、吸込口本体２３の上ケース２３Ｄ（図１参照）の下面には、図７に示すように、３つの円弧状のリブ（半環状リブ）Ｒ１ｂ〜Ｒ３ｂと、回転清掃体６０の軸受部６４（図４参照）を支持する支持部４５が形成されている。支持部４５は、支持部４２（図５参照）と同様に相対向した一対の挟持壁部４５Ａと、一対の挟持壁部４５Ａ間に形成された上当接部４５Ｂとから構成されている。
【００２９】
そして、リブＲ１ｂとリブＲ２ｂとの間が凹部Ｈ１ｂとなっており、リブＲ２ｂとリブＲ３ｂとの間が凹部Ｈ２ｂとなっており、リブＲ３ｂと上当接部４５Ｂとの間が凹部Ｈ３ｂとなっている。
【００３０】
また、下ケース２３ＡのリブＲ１ａ〜Ｒ３ａと上ケース２３ＤのリブＲ１ｂ〜Ｒ３ｂとで３つの環状リブＲ１〜Ｒ３が形成されている。また、リブＲ１〜Ｒ３の内径は内側（図５において右側）のリブほど大きくなっている。この環状リブＲ１,Ｒ２は、回転清掃体６０を組み付けた場合に回転清掃体６０のフランジＦ３,Ｆ４に対向するように設定されている（図７参照）。
【００３１】
軸受室３１は、図８に示すように区画壁５０によって吸込室２２から区画されており、区画壁５０には半円形状の切欠５０Ａが形成されている。また、軸受室３１にはリブ５２と、回転清掃体６０の軸受部６６を支持する支持部５３とが形成されている。リブ５２には半円形状の切欠５２Ａが形成されている。区画壁５０やリブ５２や支持部５３は吸込口本体２３の上ケース（上壁部）２３Ｄ（図１参照）の下面に一体に形成されている。
【００３２】
そして、区画壁５０は回転清掃体６０のフランジＦ５とフランジＦ６との間に配置され、リブ５２は回転清掃体６０のフランジＦ６とフランジＦ７との間に配置される。
【００３３】
軸受室３１の底部には、図示しない底壁板（底壁部）がネジ止めされるようになっており、この底壁板には、上記と同様に区画壁とリブと支持部とが形成されている。この底壁板を軸受室３１の底部にネジ止めすることにより、上ケース２３Ｄと底壁板とで回転清掃体６０の軸受部６６を上下から挟み込んで固定するものである。
【００３４】
また、フランジＦ５〜Ｆ７と区画壁５０およびリブ５２とが交互に配置されることにより、糸クズなどが回転清掃体６０の軸受部６６へ進入してしまうことが防止される。
【００３５】
次に、回転清掃体６０の組み付け方について説明する。
【００３６】
先ず、図４に示す回転清掃体６０の軸受部６４およびフランジＦ３,Ｆ４を吸込室２２（図３参照）から図５に示す区画壁４０の開口４１内に挿入して、その軸受部６４を軸受室３０の支持部４２の一対の挟持壁部４２Ａ,４５Ａ間と、下当接部４２Ｂと上当接部４５Ｂとの間（図７参照）に挿入させる。この挿入により、回転清掃体６０の軸受部６４は支持部４２に取り付けられ、回転清掃体６０の軸部６１はその支持部４２により回転自在に支持されることになる。
【００３７】
また、回転清掃体６０の軸受部６４が軸受室３０の支持部４２に取り付けられると、図７に示すように、回転清掃体６０のフランジＦ１は区画壁４０の挿入開口４１内に配置され、回転清掃体６０のフランジＦ３,Ｆ４は軸受室３０のリブＲ１,Ｒ２に対向する。
【００３８】
回転清掃体６０の軸受部６４およびフランジＦ３,Ｆ４の挿入は、フランジＦ３,Ｆ４の径がＦ３＞Ｆ４に設定され、環状リブＲ１〜Ｒ３の内径がＲ１＞Ｒ２＞Ｒ３に設定されていることにより、その挿入はし易いものとなる。
【００３９】
次に、図８に示すように、回転清掃体６０の従動プーリ６５ＡにタイミングベルトＢを巻回するとともに回転清掃体６０の軸受部６６を軸受室３１の支持部５３に取り付けさせ、図示しない底壁板を軸受室３１の底部にネジ止めする。これにより、回転清掃体６０の軸受部６６が吸込口本体２３の上ケース２３Ｄと底壁板とにより挟持され、回転清掃体６０の組み付けは完了することになる。
【００４０】
このように、回転清掃体６０の一方の軸受部６４を区画壁４０の開口４１内に挿入し、他方の軸受部６６を軸受室３１の支持部５３に取り付け、底壁板をネジ止めするだけであるから、その回転清掃体６０の組み付けは簡単に行うことができる。
【００４１】
また、図７に示すように、軸受室３０のリブＲ２ａの高さはリブＲ１ａの高さより高く設定され、すなわち、環状リブＲ２の内径が環状リブＲ１の内径より小さく設定され且つフランジＦ３の径がフランジＦ２の径より大きく設定されているので、回転清掃体６０が回転しているとき、回転清掃体６０のフランジＦ３とリブＲ１ａとの間に入り込んでリブＲ１ａを乗り越えた糸クズなどは、回転清掃体６０のフランジＦ４とリブＲ２ａとの間に入り込みにくいものとなる。
【００４２】
さらに、回転清掃体６０のフランジＦ４とリブＲ２ａとの間に入り込んでリブＲ２ａを乗り越えた糸クズ等は、リブＲ３ａがリブＲ２ａより高く設定されていることにより、リブＲ３を乗り越えにくいものとなる。さらに、その糸クズがリブＲ３を乗り越えた場合、リブＲ３と下当接部４２Ｂとの間に凹部Ｈ３ａが形成されていることにより、その糸クズは回転清掃体６０の軸受部６４内に入り込みにくいものとなる。
【００４３】
これらにより、糸クズが回転清掃体６０の軸受部６４内に入り込んでしまうことを確実に防止することができることとなる。
【図面の簡単な説明】
【００４４】
【図１】本発明に係る電機掃除機の外観を示した斜視図である。
【図２】図１に示す電気掃除機の吸込口体を示した側面図である。
【図３】図２に示す吸込口体の底面を示した底面図である。
【図４】図３に示す吸込口体の回転清掃体を示した正面図である。
【図５】図３に示す吸込口体の軸受室を示した部分拡大図である
【図６】吸込口体の底面の一部を示した拡大斜視図である。
【図７】吸込口体の一部を断面にした部分拡大断面図である。
【図８】吸込口体の底面の一部を示した部分拡大図である。
【符号の説明】
【００４５】
２０      吸込口体
２１      吸込開口
２２      吸込室
２３      吸込口本体
３０      軸受室
４０      区画壁（側壁）
４１      挿入開口
６０      回転清掃体
Ｒ１      環状リブ
Ｒ２      環状リブ
Ｆ３      フランジ
Ｆ４      フランジ
【図１】
2008200308.tif 000003
【図２】
2008200308.tif 000004
【図３】
2008200308.tif 000005
【図４】
2008200308.tif 000006
【図５】
2008200308.tif 000007
【図６】
2008200308.tif 000008
【図７】
2008200308.tif 000009
【図８】
2008200308.tif 000010